(57)【特許請求の範囲】
【請求項１】
遊技盤の前面に遊技球が流下可能な遊技領域が形成されているとともに、前記遊技領域内に、遊技球が入賞可能な入賞口を有する始動部材、起立姿勢と傾倒姿勢との間で動作可能な一対の翼片を有し、所定条件が成立すると前記翼片が起立姿勢にある閉状態から前記翼片が傾倒姿勢となる開状態となるチューリップ式電動役物、図柄を表示可能な図柄表示部、及び開閉可能な扉部材を有する大入賞装置が設けられており、
前記始動部材又は前記開状態にある前記チューリップ式電動役物へ遊技球が入賞すると、前記図柄表示部において図柄が所定時間にわたり変動した後で確定表示され、当該確定表示が所定の大当たり図柄であると、前記大入賞装置を所定回数にわたり断続的に開成させる大当たり状態を生起するパチンコ機であって、
前記始動部材を前記チューリップ式電動役物よりも上方に設けるとともに、
前記始動部材に、下方へ突出しており、その先端が前記起立姿勢にある前記翼片間に位置して前記閉状態にある前記チューリップ式電動役物への遊技球の入賞を阻止する阻止部を設けたことを特徴とするパチンコ機。
【請求項２】
前記図柄表示部の下方に前記始動部材及び前記チューリップ式電動役物を設けるとともに、前記大入賞装置を前記始動部材及び前記チューリップ式電動役物よりも右方に設けており、遊技球を前記図柄表示部の左側を流下させて前記始動部材へ入賞させる一方、遊技球を前記図柄表示部の右側を流下させて前記大入賞装置へ入賞させるパチンコ機であって、
前記大入賞装置に隣接して、前記大入賞装置に入賞しなかった遊技球を下方へ導く誘導部材を設けるとともに、前記始動部材の前記入賞口を、前記誘導部材の下端よりも上方に位置させていることを特徴とする請求項１に記載のパチンコ機。
【請求項３】
前記始動部材の側面に、下方へ向かって徐々に外へ張り出す滑らかな円弧面であって、前記遊技領域内を流下してきた遊技球が衝突した際に、その流下速度を減速させるための緩衝面を設けたことを特徴とする請求項１又は２に記載のパチンコ機。
【発明の詳細な説明】
【技術分野】
【０００１】
本発明は、遊技領域へ遊技球を打ち込んで流下させて遊技するパチンコ機に関するものである。
【背景技術】
【０００２】
従来、遊技球の入賞を契機として図柄表示部での図柄が変動を開始する始動部材と、一対の翼片を開閉動作可能に備えており、こちらも遊技球の入賞を契機として図柄表示部での図柄が変動を開始するチューリップ式電動役物とを備えたパチンコ機が一般的に知られている（たとえば特許文献１）。また、特許文献１に開示されているパチンコ機もそうであるように、始動部材とチューリップ式電動役物とは上下に連設されることが多い。さらに、一般的なチューリップ式電動役物では、翼片が起立姿勢にある閉状態にあっても翼片と翼片との間から遊技球が入賞可能となっている。
【０００３】
しかしながら、翼片が傾倒姿勢となる開状態とならない限り、すなわちチューリップ式電動役物が閉状態にある時には、遊技球のチューリップ式電動役物への入賞を阻止したいことも考えられる。このような場合、従来では、始動部材とチューリップ式電動役物との間のスペースや起立している翼片と翼片との間等に複数の遊技釘を植設することで、閉状態にあるチューリップ式電動役物への遊技球の入賞の阻止を図っていた。
【先行技術文献】
【特許文献】
【０００４】
【特許文献１】特開２０１１−１７２６５９号公報
【発明の概要】
【発明が解決しようとする課題】
【０００５】
しかしながら、上記従来の構成では、遊技釘が狭いスペースへ植設されることになるため、始動部材やチューリップ式電動役物の設置後に遊技釘を植設しようとすると、遊技釘を打ち込むための器具や遊技釘そのものにより始動部材等が破損するおそれがあるという問題がある。一方、遊技釘を植設した後で始動部材やチューリップ式電動役物を設置するとなると、遊技釘が邪魔となって始動部材等の設置が煩わしくなるという問題がある。さらに、上述したような位置に遊技釘を植設するとなると、どうしてもチューリップ式電動役物の上方のスペースが狭くなってしまい、小さくて意匠性にかける始動部材しか設置することができないという問題もある。
【０００６】
そこで、本発明は、上記問題に鑑みなされたものであって、遊技釘を植設することなくチューリップ式電動役物への遊技球の入賞を阻止することができるパチンコ機を提供しようとするものである。
【課題を解決するための手段】
【０００７】
上記目的を達成するために、本発明のうち請求項１に記載の発明は、遊技盤の前面に遊技球が流下可能な遊技領域が形成されているとともに、前記遊技領域内に、遊技球が入賞可能な入賞口を有する始動部材、起立姿勢と傾倒姿勢との間で動作可能な一対の翼片を有し、所定条件が成立すると前記翼片が起立姿勢にある閉状態から前記翼片が傾倒姿勢となる開状態となるチューリップ式電動役物、図柄を表示可能な図柄表示部、及び開閉可能な扉部材を有する大入賞装置が設けられており、前記始動部材又は前記開状態にある前記チューリップ式電動役物へ遊技球が入賞すると、前記図柄表示部において図柄が所定時間にわたり変動した後で確定表示され、当該確定表示が所定の大当たり図柄であると、前記大入賞装置を所定回数にわたり断続的に開成させる大当たり状態を生起するパチンコ機であって、前記始動部材を前記チューリップ式電動役物よりも上方に設けるとともに、前記始動部材に、下方へ突出しており、その先端が前記起立姿勢にある前記翼片間に位置して前記閉状態にある前記チューリップ式電動役物への遊技球の入賞を阻止する阻止部を設けたことを特徴とする。
請求項２に記載の発明は、請求項１に記載の発明において、前記図柄表示部の下方に前記始動部材及び前記チューリップ式電動役物を設けるとともに、前記大入賞装置を前記始動部材及び前記チューリップ式電動役物よりも右方に設けており、遊技球を前記図柄表示部の左側を流下させて前記始動部材へ入賞させる一方、遊技球を前記図柄表示部の右側を流下させて前記大入賞装置へ入賞させるパチンコ機であって、前記大入賞装置に隣接して、前記大入賞装置に入賞しなかった遊技球を下方へ導く誘導部材を設けるとともに、前記始動部材の前記入賞口を、前記誘導部材の下端よりも上方に位置させていることを特徴とする。
請求項３に記載の発明は、請求項１又は２に記載の発明において、前記始動部材の側面に、下方へ向かって徐々に外へ張り出す滑らかな円弧面であって、前記遊技領域内を流下してきた遊技球が衝突した際に、その流下速度を減速させるための緩衝面を設けたことを特徴とする。
【発明の効果】
【０００８】
本発明によれば、始動部材をチューリップ式電動役物よりも上方に設けるとともに、始動部材に、下方へ突出しており、その先端が起立姿勢にある翼片間に位置して閉状態にあるチューリップ式電動役物への遊技球の入賞を阻止する阻止部を設けている。したがって、従来の如くチューリップ式電動役物の上方に、遊技球の入賞を阻止するためだけの遊技釘を植設する必要がなく、始動部材やチューリップ式電動役物の設置が容易となるし、それらの部材が遊技釘の植設時に破損してしまうようなおそれもない。また、始動部材とチューリップ式電動役物との間に遊技釘を植設するためのスペースを確保する必要がないため、従来よりも大型の始動部材を設置することができ、意匠性の向上を図ることもできる。
また、請求項２に記載の発明によれば、所謂右打ちタイプのパチンコ機において、大入賞装置に隣接して、大入賞装置に入賞しなかった遊技球を下方へ導く誘導部材を設けるとともに、始動部材の入賞口を、誘導部材の下端よりも上方に位置させている。したがって、大入賞装置への入賞を狙った遊技球が始動部材へ入賞してしまう事態を防止したい際に、簡易な構成で当該防止を実現することができる。
さらに、請求項３に記載の発明によれば、始動部材の側面に、下方へ向かって徐々に外へ張り出す滑らかな円弧面であって、遊技領域内を流下してきた遊技球が衝突した際に、その流下速度を減速させるための緩衝面を設けているため、特に始動部材の下方にあるチューリップ式電動役物側へと流下する遊技球の減速を期待することができる。したがって、遊技球が衝突したことによりチューリップ式電動役物１７の翼片１７ａ、１７ａが破損してしまう事態を低減することができるし、遊技球が傾倒姿勢にある翼片１７ａ、１７ａに衝突した際に弾かれにくく、開状態にあるチューリップ式電動役物１７へ遊技球が入賞しやすくなるという効果もある。
【図面の簡単な説明】
【０００９】
【図１】パチンコ機を前面側から示した説明図である。
【図２】遊技盤を前面側から示した説明図である。
【図３】パチンコ機を後面側から示した説明図である。
【図４】遊技盤の始動部材の周辺部を拡大して示した説明図である。
【発明を実施するための形態】
【００１０】
以下、本発明の一実施形態となるパチンコ機について、図面にもとづき詳細に説明する。
【００１１】
（パチンコ機の全体的な説明）
図１は、パチンコ機１を前面側から示した説明図である。また、図２は、遊技盤２を前面側から示した説明図である。さらに、図３は、パチンコ機１を後面側から示した説明図である。
パチンコ機１は、遊技盤２の前面に形成された遊技領域１６内へ遊技球を打ち込み、遊技領域１６内を流下させて遊技するものであって、遊技盤２は、支持体として機能する機枠３の前面上部に、金属製のフレーム部材であるミドル枠５を介して設置されている。また、遊技盤２の前方には、ガラス板を嵌め込み設置してなる前扉４が、左端縁を軸として片開き可能に機枠３に蝶着されており、該前扉４によって閉塞される遊技盤２の前方空間が遊技領域１６とされている。
【００１２】
当該遊技領域１６は、遊技盤２の前面に円弧状に配設された外レール２３及び内レール２４等によって囲まれており、遊技領域１６に左部における両レール２３、２４間が遊技球を遊技領域１６内へ打ち込むための発射通路１３とされている。また、遊技領域１６の略中央には、「０」〜「９」の数字や絵柄等からなる図柄を表示するための図柄表示部６を有する電動役物３１と、該電動役物３１を囲むように配設された種々の報知部材３０、３０・・とを有するセンター部材２６が設置されている。さらに、遊技領域１６におけるセンター部材２６の下方（すなわち、図柄表示部６の下方）には、遊技球が入賞可能な入賞口（図示せず）を有する始動部材１９と、一対の翼片１７ａ、１７ａを開閉動作可能に備えたチューリップ式電動役物１７とが上下に並設されている。また、センター部材２６の下方で、始動部材１９及びチューリップ式電動役物１７の右方には、開閉可能な扉部材を有する大入賞装置１８が設置されている。加えて、センター部材２６の右側縁部には、遊技球が通過可能な遊技球通路（図示せず）が設けられている。該遊技球通路の上流端は、センター部材２６の上面に開口して遊技球を遊技球通路内へ進入させるための進入口となっている一方、下流端は大入賞装置１８の上方に開口して遊技球を遊技球通路内から排出するための排出口となっている。そして、遊技球通路内にはセンサが設けられており、遊技球の遊技球通路内の通過を検出可能となっている。
【００１３】
また、機枠３の前面側であって上記遊技盤２の下方には、遊技球を発射装置１０へ供給するための供給皿７、及び供給皿７から溢れた遊技球を貯留するための貯留皿８が取り付けられており、供給皿７は前扉４の開放に伴い、貯留皿８はミドル枠５の開放に伴い夫々機枠３に対して片開き可能となっている。さらに、貯留皿８の右側には、発射装置１０を作動させるためのハンドル９が回動操作可能に設置されている。加えて、供給皿７の前方には、遊技者が任意に押し込み操作可能な押しボタン２５が設けられている。
さらに、前扉４の上部には、効果音や各種メッセージ等を報音する一対のスピーカ１４、１４が設けられており、前扉４の側部には、パチンコ機１の遊技状態等に応じて点灯・点滅する複数のＬＥＤを備えたランプ部材１５、１５が設けられている。
【００１４】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置２８、及び各制御基板や装置・部材に電源電圧を供給するための電源装置２９等が設置されている。また、２１は、合成樹脂製のカバー状に形成されたセンターカバーであって、当該センターカバー２１の内部には、遊技に係る主たる制御（たとえば、所謂「大当たり抽選」等）を実行するためのメイン制御装置（図示せず）、図柄表示部６における表示動作等を制御する表示制御装置（図示せず）、ランプ部材１５や報知部材３０の点灯／点滅動作等を制御する発光制御装置（図示せず）、スピーカ１４からの報音動作を制御する音制御装置（図示せず）、及び表示制御装置や音制御装置等の動作を統合的に制御するとともに、電動役物３１の動作を制御するサブ制御装置（図示せず）等が設置されている。尚、２２は、パチンコ機１をトランスに接続するためのプラグであり、２７は、アースである。
【００１５】
以上のようなパチンコ機１では、遊技者によってハンドル９が回動操作されると、発射装置１０が作動して遊技球が遊技領域１６内へ打ち込まれる。そして、遊技領域１６内であって、センター部材２６の左側（すなわち、図柄表示部６の左側）を流下する遊技球が始動部材１９へ入賞すると、メイン制御装置にて「大当たり抽選」を行う。該「大当たり抽選」は、乱数から１つの数値を取得する態様で行われ、取得した数値に応じて、「大当たり」であるか「外れ」であるかを決定するとともに、図柄の変動時間を決定する。そして、「大当たり抽選」の結果、「大当たり」である場合には、決定した変動時間だけ図柄を変動表示させた後、図柄表示部６に所定の「大当たり図柄」（たとえば、「７、７、７」等）を確定表示させる。さらに確定表示後、大入賞装置１８の扉部材を所定回数にわたって断続的に開成させるといった所謂「大当たり状態」を生起させる。
【００１６】
そして、「大当たり状態」が生起すると、遊技球がセンター部材２６の上方を越えて右側（すなわち、図柄表示部６の右側）を流下するように、遊技球を打ち込む（所謂右打ちを行う）ことにより、遊技球が遊技球通路を流下して排出口から排出され、断続的に開成している大入賞装置１８へ入賞する。また、「大当たり状態」が終了すると、「大当たり抽選」の結果が「大当たり」となる確率が高くなる特定遊技状態が生起する。また、特定遊技状態においては、遊技球通路内のセンサによって遊技球が検知される度に、チューリップ式電動役物１７を開状態とするか否かの抽選を行う。そして、この抽選に当選すると、チューリップ式電動役物１７を所定時間だけ開状態（すなわち、起立姿勢にある一対の翼片１７ａ、１７ａが、所定時間だけ図２に示すように傾倒する状態）とし、チューリップ式電動役物１７への遊技球の入賞を許容する。そのため、遊技者は「大当たり状態」の終了後も右打ちを継続し、遊技球を遊技球通路へ進入させて流下させることにより、遊技球通路内のセンサによって遊技球を検知させることになる。また、開状態にあるチューリップ式電動役物１７への遊技球の入賞をもって、上記同様の「大当たり抽選」及び図柄表示部６における図柄の表示制御を実行する。
【００１７】
尚、上記特定遊技状態は、「大当たり状態」の終了後、「大当たり抽選」で「大当たり」となることなく、図柄表示部６において図柄が所定回数変動したことをもって終了する。また、遊技球が遊技球通路を通過したことに起因して行う上記抽選は、特定遊技状態以外の状態においても実行するものの、特定遊技状態中においてのみ抽選結果に当選を含むように、すなわち特定遊技状態以外の状態においては抽選結果が全て外れとなるように制御されている。そのため、特定遊技状態以外の状態においては、上記抽選を実行しないとみなしてもよい。
【００１８】
（始動部材の説明）
ここで、本発明の要部となる始動部材１９の構造、及び始動部材１９の設置位置に係る構成について、図４にもとづき詳細に説明する。図４は、遊技盤２の始動部材１９の周辺部を拡大して示した説明図である。なお、図４において、チューリップ式電動役物１７の翼片１７ａ、１７ａは起立姿勢にあり、チューリップ式電動役物１７は閉状態となっている。
【００１９】
始動部材１９は、上下方向の長さが遊技球の直径の略２倍となる角筒状のカバー体を遊技盤２の前面に設置してなり、上端が遊技球を入賞可能な入賞口となっている。また、始動部材１９の左右両側面は、下方へ向かって徐々に外へ張り出す滑らかな円弧面とされており、遊技領域１６内を流下してきた遊技球が衝突した際に、その流下速度を減速させるための緩衝面１９ａ、１９ａとして機能するようになっている。さらに、始動部材１９の下部は、矢尻状に下方へ突出しており、後述するようにチューリップ式電動役物１７の起立姿勢にある翼片１７ａ、１７ａ間に位置して、閉状態にあるチューリップ式電動役物１７への遊技球の進入を阻止する阻止部１９ｂとして機能するようになっている。加えて、始動部材１９の前面は装飾面として機能し、図示しない装飾部材（シール部材）が貼着可能となっている。
【００２０】
尚、始動部材１９の内部には、入賞した遊技球を検知する入賞検知センサ（図示せず）が設けられている。また、始動部材１９の下端は閉塞しているとともに、遊技盤２における当該下端位置に対応する箇所には、始動部材１９へ入賞した遊技球を遊技領域１６外（具体的には遊技盤２の後方側）へ排出するための排出口（図示せず）が設けられている。さらに、始動部材１９とチューリップ式電動役物１７とは独立した別部材として成形されている。
【００２１】
以上のような始動部材１９は、チューリップ式電動役物１７の上方となる位置に、入賞口が上方へ開口し、阻止部１９ｂが下方へ突出するような姿勢で設置されており、始動部材１９の阻止部１９ｂが、チューリップ式電動役物１７の起立姿勢にある翼片１７ａ、１７ａ間に入り込んだ状態となっている。したがって、始動部材１９により、閉状態にあるチューリップ式電動役物１７への遊技球の入賞が阻止されることになる。また、設置状態において、始動部材１９の入賞口（すなわち上端部）は、大入賞装置１８に入賞しなかった遊技球を下方へ導く誘導釘５０ａ、５０ｂ・・列の最下端にある遊技釘（ここでは遊技釘５０ｃ）よりも上方に位置している。したがって、特に大当たり状態や特定遊技状態において（すなわち、右打ちでの遊技中に）、始動部材１９へ遊技球が入賞しないようになっている。尚、誘導釘５０ａ、５０ｂ・・列とは、複数の遊技釘５０ａ、５０ｂ・・を、下方に傾斜する方向へ、且つ、各遊技釘間から落下しない程度の略等間隔で並べて植設してなるもので、大入賞装置１８に隣接して設けられている。
【００２２】
（本実施形態のパチンコ機による効果）
上述したような始動部材１９を備えてなるパチンコ機１によれば、始動部材１９がチューリップ式電動役物１７の上方に設置されているとともに、始動部材１９の下端部が起立姿勢にある翼片１７ａ、１７ａ間に位置しており、当該下端部が、閉状態にあるチューリップ式電動役物１７への遊技球の入賞を阻止する阻止部１９ｂとして機能するようになっている。したがって、チューリップ式電動役物１７の上方に、遊技球の入賞を阻止するためだけの遊技釘を植設する必要がなく、始動部材１９やチューリップ式電動役物１７の設置が容易となるし、それらの部材が遊技釘の植設時に破損してしまうようなおそれもない。また、始動部材１９とチューリップ式電動役物１７との間に遊技釘を植設するためのスペースを確保する必要がないため、上下方向の長さが遊技球の直径の略２倍にもなる従来よりも大型の始動部材１９を設置することができ、意匠性の向上を図ることもできる。
【００２３】
さらに、始動部材１９の左右両側面を、下方へ向かって徐々に外へ張り出す滑らかな円弧面としており、遊技領域１６内を流下してきた遊技球が衝突した際に、その流下速度を減速させるための緩衝面１９ａ、１９ａとしているため、特に始動部材１９の下方にあるチューリップ式電動役物１７側へと流下する遊技球の減速を期待することができる。したがって、遊技球が衝突したことによりチューリップ式電動役物１７の翼片１７ａ、１７ａが破損してしまう事態を低減することができるし、遊技球が傾倒姿勢にある翼片１７ａ、１７ａに衝突した際に弾かれにくく、開状態にあるチューリップ式電動役物１７へ遊技球が入賞しやすくなるという効果もある。
【００２４】
加えて、始動部材１９及びチューリップ式電動役物１７よりも右側に大入賞装置１８を設置した所謂右打ちタイプのパチンコ機１において、大入賞装置１８に隣接して、大入賞装置１８に入賞しなかった遊技球を下方へ導く複数の遊技釘５０ａ、５０ｂ・・列を設けるとともに、始動部材１９の入賞口が、遊技釘５０ａ、５０ｂ・・列の最下端にある遊技釘５０ｃよりも上方に位置するように始動部材１９を設置しているため、特に右打ち中において、始動部材１９へ遊技球が入賞しないようになっている。したがって、遊技球を始動部材へ入賞させない方が遊技者にとって有利となる（たとえば、チューリップ式電動役物へ遊技球が入賞したことによる大当たり抽選の方が、始動部材へ遊技球が入賞したことによる大当たり抽選よりも、大入賞装置の開成回数が多い大当たり状態が生起しやすい等）パチンコ機を構成したい等の際に、そのようなパチンコ機を簡易な構成で実現することができる。
【００２５】
（本発明の変更例について）
なお、本発明のパチンコ機に係る構成は、上記実施形態に何ら限定されるものではなく、パチンコ機全体の構成、始動部材の構成や設置位置に係る構成等について、本発明の趣旨を逸脱しない範囲で必要に応じて適宜変更可能である。
【００２６】
たとえば、始動部材を、より上下方向へ長く形成してもよいし、始動部材の左右いずれか一方側の側面にのみ緩衝面を形成するように構成してもよい。また、上記実施形態の始動部材を、大入賞装置がチューリップ式電動役物の下方にあるようなパチンコ機に設置することも、当然可能である。
さらに、始動部材の阻止部が始動部材の下端部である必要はなく、下方へ突出する突出部を始動部材に適宜形成し、当該突出部を阻止部としても何ら問題はない。さらにまた、始動部材及びチューリップ式電動役物の設置位置も上記実施形態の位置に何ら限定されることはなく、たとえば両部材を遊技領域の上部（たとえば、センター部材よりも上方となる位置）に設けてもよい。
加えて、上記実施形態では、複数の遊技釘５０ａ、５０ｂ・・を並べて植設することにより誘導部材を構成しているが、たとえば遊技釘を植設する代わりに、金属板や合成樹脂板を立設して誘導部材とする構成であっても何ら問題はない。
【符号の説明】
【００２７】
１・・パチンコ機、２・・遊技盤、１６・・遊技領域、１７・・チューリップ式電動役物、１７ａ・・翼片、１８・・大入賞装置、１９・・始動部材、１９ａ・・緩衝面、１９ｂ・・阻止部、５０ａ、５０ｂ、５０ｃ・・遊技釘（誘導部材）。
【図１】
0005927379.tif 000002
【図２】
0005927379.tif 000003
【図３】
0005927379.tif 000004
【図４】
0005927379.tif 000005